(57)【要約】【課題】使用者が洋式便器に移動する時や洋式便器に座っている時の使い勝手を向上させるとともに、アームレストに比較的大きな力がかかった場合であっても設置位置からずれることを防止できるトイレ用装置を提供する。【解決手段】支持部材６は、アームレスト４を接続する第１接続部８と、当接部材を接続する第２接続部１０と、第１接続部と第２接続部との間に形成され洋式便器に固定される固定手段１２と、を有しており、当接部材１４は、アームレストよりも下側であってアームレストの少なくとも前端が当接部材の前方に位置するように配置され、アームレストの下方に向かって生じる力を支持部材の固定手段の少なくとも一部を支点として後壁面２２に伝える。【選択図】図１
2016019805.tif 000002
【特許請求の範囲】
【請求項１】
洋式便器と、
前記洋式便器に載置される便座と、
前記洋式便器の後側に位置する後壁面に当接する当接部材と、
前記当接部材と接続され、前記当接部材を支持する支持部材と、
前記支持部材に設けられ、前記洋式便器又は側壁に固定される固定手段と、を有しており、
前記便座は、前記固定手段よりも少なくとも一部が前方側に位置するよう設けられ、
前記当接部材は、前記洋式便器の上面よりも下側に配置され、前記便座に生じる力を前記固定手段の少なくとも一部を支点として前記後壁面に伝えることを特徴とするトイレ用装置。
【発明の詳細な説明】
【技術分野】
【０００１】
本願発明は、洋式便器に設けられるトイレ用装置に関するものである。
【背景技術】
【０００２】
高齢者や障害者等の用便時の動作や姿勢保持を介助する目的として、従来から様々なトイレ用装置が提案されている。例えば、特許文献１のトイレ用装置には、洋式便器を抱え込む三点支持によりトイレ用装置を固定することが開示されている。使用者が一方のアームレストに手をついて洋式便器から立ち上がろうとした場合であっても、トイレ用装置は洋式便器に対して安定して固定されている。
【０００３】
特許文献１のトイレ用装置は、洋式便器を抱え込む三点支持が採用され、トイレ用装置の取付強度が十分に確保されることから、トイレ用装置を床面や壁面等に締結部材等で締結する必要がない。そのため、トイレ用装置のレンタルを希望するお客様にとっては、特許文献１のトイレ用装置のような床面や壁面等に傷を付けずに済む締結部材等の必要ないトイレ用装置が好まれている。
【先行技術文献】
【特許文献】
【０００４】
【特許文献１】特開２００６−０００６２２号公報
【発明の概要】
【発明が解決しようとする課題】
【０００５】
しかしながら、特許文献１のトイレ用装置は、トイレ用装置に比較的大きな力がかかった場合には装置全体が洋式便器からずれてしまうという課題があった。
【０００６】
本発明は、このような課題に鑑みてなされたものであり、その目的は、トイレ用装置に比較的大きな力がかかった場合であってもトイレ用装置が設置位置からずれることを防止するトイレ用装置を提供することである。
【課題を解決するための手段】
【０００７】
本発明に係るトイレ用装置では、洋式便器と、前記洋式便器に載置される便座と、前記洋式便器の後側に位置する後壁面に当接する当接部材と、前記当接部材と接続され、前記当接部材を支持する支持部材と、前記支持部材に設けられ、前記洋式便器又は側壁に固定される固定手段と、を有しており、前記便座は、前記固定手段よりも少なくとも一部が前方側に位置するよう設けられ、前記当接部材は、前記洋式便器の上面よりも下側に配置され、前記便座に生じる力を前記固定手段の少なくとも一部を支点として前記後壁面に伝えることを特徴とする。
【０００８】
この好ましい態様によれば、トイレ用装置が設置位置からずれることを防止できる。
【発明の効果】
【０００９】
本発明に係るトイレ用装置は、トイレ用装置に比較的大きな力がかかった場合であってもトイレ用装置が設置位置からずれることを防止できる。
【図面の簡単な説明】
【００１０】
【図１】本発明の第１実施形態のトイレ用装置を示す斜視図である。
【図２】本発明の第１実施形態のトイレ用装置を示す斜視図である。
【図３】本発明の第１実施形態のトイレ用装置を示す側面図である。
【図４】本発明の第２実施形態のトイレ用装置を示す斜視図である。
【図５】本発明の第２実施形態のトイレ用装置を示す斜視図である。
【図６】本発明の第２実施形態のトイレ用装置を示す側面図である。
【図７】本発明の第３実施形態のトイレ用装置を示す側面図である。
【図８】本発明の第３実施形態のトイレ用装置を示す側面図である。
【図９】本発明の第４実施形態のトイレ用装置を示す斜視図である。
【図１０】本発明の第４実施形態の固定手段１２の詳細図である。
【図１１】本発明の第４実施形態のトイレ用装置を示す側面図である。
【図１２】本発明の第５実施形態のトイレ用装置を示す斜視図である。
【図１３】本発明の第５実施形態のトイレ用装置を示す側面図である。
【図１４】本発明の第６実施形態のトイレ用装置を示す正面図である。
【発明を実施するための形態】
【００１１】
以下、図面を参照しつつ、本発明の実施形態のトイレ用装置について説明する。尚、各図面中、同様の構成要素には同一の符号を示す。
【００１２】
図１は、本発明のトイレ用装置１の第１実施形態を示す斜視図である。トイレ用装置１は、洋式便器２の側方に配置されるアームレスト（手摺）４と、アームレスト４が取付けられアームレスト４の荷重を支持する支持部材６と、洋式便器２の後側に位置する後壁面２２に当接する当接部材１４と、を備えており、支持部材６は、アームレスト４を接続する第１接続部８と、当接部材１４を接続する第２接続部１０と、第１接続部８と第２接続部１０との間に形成され洋式便器２の上面に載せて固定するプレート１２（固定手段）と、によって構成されている。
【００１３】
当接部材１４は、アームレスト４よりも下側であってアームレスト４の少なくとも前端が前方に位置するように配置され、アームレスト４の下方に向かって生じる力をプレート１２（固定手段）の少なくとも一部を支点として後壁面２２に伝える。
【００１４】
アームレスト４は、第１接続部８を中心に所定範囲内で回動可能であっても回動不能であっても構わない。
【００１５】
また、左右の支持部材６の架設部材２４には、洋式便器２に座った使用者が背凭れる背凭れ２６を取り付けることができる。背凭れ２６は、架設部材２４から着脱可能であって必要がない場合は取り外すことができる。背凭れを着けることで、洋式便器に座った使用者が座位姿勢を安定し、長時間安心してお使いいただけるとともに、使用者が洋式便器に勢いよく座った際、使用者が洋式便器後方に位置するタンクへの衝突を防止し安全にお使いいただける。
【００１６】
図２は、図１において便座２８によって隠れている部分を見えるように便座２８を消した斜視図である。洋式便器２には、便器の上面に取り付けられる便座２８を取り付け固定する便座固定穴３０が開いているものが多い。図１で示す実施形態のトイレ用装置１は、便座固定穴３０を使ってプレート１２（固定手段）を洋式便器２へ固定するものである。
【００１７】
また、便座固定穴３０を使ってプレート１２（固定手段）を洋式便器２へ固定する部位において多少なりとも穴とねじとのガタツキがある。このため、便座固定穴３０よりも前方に出ているアームレスト４の左右横方向に向かって生じる力に対し、便座固定穴３０を回転の中心としてトイレ用装置１が回転し使用者にとってはアームレスト４のガタツキとして認識されることがある。それに対し、後壁面２２に当接する当接部材１４の幅を左右横方向に長くすることで、アームレスト４の左右横方向に向かって生じる力に対しても当接部材１４を介して広い範囲で後壁面２２に伝え、アームレスト４のガタツキを軽減できる。
【００１８】
図３は、図１で示す第１実施形態のトイレ用装置１の側面図である。アームレスト４の下方に向かって生じる力（実線矢印）をプレート１２（固定手段）の少なくとも一部を支点として、第１平面１６を介して後壁面２２（実線矢印）に伝える。
【００１９】
また、当接部材１４は、洋式便器２が載置する床面３２に当接し、アームレスト４の回転方向においてアームレスト４を持ち上げる方向に向かって生じる力（点線矢印）をプレート１２（固定手段）の少なくとも一部を支点として、第２平面１８を介して床面３２に伝える（点線矢印）。背凭れ２６に凭れかかる方向に向かって生じる力も同様にして床面３２に伝える。
【００２０】
洋式便器２は、便器の種類や施工のばらつきによって、後壁面２２から便座固定穴３０までの距離がまちまちである。また、便器の種類によって、便器の高さもまちまちである。当接部材１４は、いろいろな便器に対しても後壁面２２や床面３２に当接するよう前後調節部３４と上下調節部３６を有している。ただし、調節手段は図３に限られず、スライド方法は、パイプなどの部材同士の差し込みによりスライドさせる方法、長穴を用いてスライドさせる方法、歯車とスライドラックを使う方法、ねじを回すことで後壁面２２に押し付ける方法などが考えられ、また、スライドさせた位置を保持する方法は、ねじで固定する方法や、ラチェットを使った方法などが考えられる。
【００２１】
図４は、本発明のトイレ用装置１の第２実施形態を示す斜視図である。図１の実施形態と同様、洋式便器２への固定をプレート１２（固定手段）に開いている便座固定穴３０を使って行うものであるが、上下調節部３６を当接部材１４にではなく、支持部材６に持たせたものである。ただし、調節手段は図４に限られず、スライド方法は、パイプなどの部材同士の差し込みによりスライドさせる方法、長穴を用いてスライドさせる方法、歯車とスライドラックを使う方法、ねじを回すことで上下する方法などが考えられ、また、スライドさせた位置を保持する方法は、ねじで固定する方法や、ラチェットを使った方法などが考えられる。
【００２２】
図５は、図４において便座２８によって隠れている部分を見えるように便座２８を消した斜視図である。
【００２３】
図６は、図４で示す第２実施形態のトイレ用装置１の側面図である。力の伝わり方は図３の第１実施形態と同様である。
【００２４】
図７は、本発明のトイレ用装置１の第３実施形態を示す側面図である。図１の実施形態と同様、洋式便器２への固定をプレート１２（固定手段）に開いている便座固定穴３０を使って行うものであるが、アームレスト４の回転方向においてアームレスト４を持ち上げる方向に向かって生じる力を、プレート１２（固定手段）よりも高い位置まで伸ばした当接部材１４の第１平面１６を介して後壁面２２に伝えても良い。
【００２５】
あるいは、アームレスト４の回転方向においてアームレスト４を持ち上げる方向に向かって生じる力を、図８に示すように、支持部材６の、プレート１２（固定手段）よりも高い位置から後壁面２２に伸ばした当接部材１４の第１平面１６を介して後壁面２２に伝える方法でも良い。
【００２６】
以上の第１〜第３実施形態は、洋式便器２への固定を、洋式便器２の上面に載せて固定するプレート１２（固定手段）に開いている便座固定穴３０を使って行うものである。次に、洋式便器２への固定を、洋式便器２の外周部や洋式便器２の左右側面に位置する側壁面を使って行うものについて述べる。
【００２７】
図９は、本発明のトイレ用装置１の第４実施形態を示す斜視図である。トイレ用装置１は、洋式便器２の側方に配置されるアームレスト４と、アームレスト４が取付けられアームレスト４の荷重を支持する支持部材６と、洋式便器２の後側に位置する後壁面２２に当接する当接部材１４と、を備えており、支持部材６は、アームレスト４を接続する第１接続部８と、当接部材１４を接続する第２接続部１０と、第１接続部８と第２接続部１０との間に形成され洋式便器２の外側後方部に当接する便器後方当接部材３８（固定手段）と後方壁当接部材４０（固定手段）と洋式便器２の外側側面部に当接する左右固定部材４２（固定手段）と、によって構成されている。
【００２８】
図１０は、図９では見え難い、便器後方当接部材３８（固定手段）と後方壁当接部材４０（固定手段）を見えるように図示したものである。後方当接部材３８（固定手段）が前後にずれないよう、後方壁当接部材４０（固定手段）で後壁面２２に当接している。
【００２９】
図１１は、図１０で示す第４実施形態のトイレ用装置１の側面図である。アームレスト４の下方に向かって生じる力を後方当接部材３８（固定手段）を支点として、第１平面１６を介して後壁面２２に伝える。
【００３０】
また、当接部材１４は、洋式便器２が載置する床面３２に当接し、アームレスト４の回転方向においてアームレスト４を持ち上げる方向に向かって生じる力を後方壁当接部材４０（固定手段）を支点として、第２平面１８を介して床面３２に伝える。背凭れ２６に凭れかかる方向に向かって生じる力も同様にして床面３２に伝える。
【００３１】
また、アームレスト４に水平横方向の力が加わった際の横ずれ防止のため、左右固定部材４２（固定手段）で便器側方を挟み込んでいる。
【００３２】
洋式便器２は、便器の種類や施工のばらつきによって、後壁面２２から洋式便器２の外側後方部までの距離や洋式便器２の外側側面間の距離がまちまちである。後方当接部材３８（固定手段）、後方壁当接部材４０（固定手段）、左右固定部材４２（固定手段）は、いろいろな便器に対しても対応可能なように調節部を有している。
【００３３】
図１２は、本発明のトイレ用装置１の第５実施形態を示す斜視図である。図９に示す第４実施形態は、左右ずれ防止を洋式便器２の外側側面中央部を左右両側から挟みこむ構造であったが、図１２に示す第５実施形態では、洋式便器２の外側側面上方部を左右両側から挟みこむ構造である。図９に示す第４実施形態に比べ、部材を減らせること、洋式便器２の側面から直接締めこむことで強く締めこめる利点がある。ところが、洋式便器２の種類によっては、当部に樹脂のカバーがあるものがあり、そのような便器では樹脂が破損してしまうため、第５実施形態では対応できない。一方、第４実施形態に示す洋式便器２の外側側面中央部に樹脂カバーがあるものはなく、対応できる便器が多いというメリットがある。
【００３４】
図１３は、図１２で示す第５実施形態のトイレ用装置１の側面図である。力の伝わり方は図１１の第４実施形態と同様である。
【００３５】
図１４は、本発明のトイレ用装置１の第６実施形態を示す正面図である。図９に示す第４実施形態や図１２に示す第５実施形態は、左右ずれ防止を洋式便器２を左右側面で挟み込む方法であるが、図１４に示す第６実施形態は、洋式便器２の左右側面に位置する側壁面４４に側方壁固定部材４６（固定手段）を介して突っ張る構造のものである。
【００３６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。
【００３７】
例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３８】
１      トイレ用装置
２      洋式便器
４      アームレスト
６      支持部材
８      第１接続部
１０    第２接続部
１２    プレート（固定手段）
１４    当接部材
１６    第１平面
１８    第２平面
２０    交差部
２２    後壁面
２４    架設部材
２６    背凭れ
２８    便座
３０    便座固定穴
３２    床面
３４    前後調節部
３６    上下調節部
３８    便器後方当接部材（固定手段）
４０    後方壁当接部材（固定手段）
４２    左右固定部材（固定手段）
４４    側壁面
４６    側方壁固定部材（固定手段）
【図１】
2016019805.tif 000003
【図２】
2016019805.tif 000004
【図３】
2016019805.tif 000005
【図４】
2016019805.tif 000006
【図５】
2016019805.tif 000007
【図６】
2016019805.tif 000008
【図７】
2016019805.tif 000009
【図８】
2016019805.tif 000010
【図９】
2016019805.tif 000011
【図１０】
2016019805.tif 000012
【図１１】
2016019805.tif 000013
【図１２】
2016019805.tif 000014
【図１３】
2016019805.tif 000015
【図１４】
2016019805.tif 000016